(57)【特許請求の範囲】
【請求項１】
テストストリップに供給された流体サンプル中の検体の濃度を測定する測定器であって、前記測定器が、
第１および第２の端部を有する本体であって、前記本体が、前記第１の端部と前記第２の端部との間に延びる長手方向軸線を画定する、本体と、
前記本体に連結し、かつ前記テストストリップ上の前記検体を分析するように適合された、読取ヘッドと、
前記本体に連結されたテストストリップホルダであって、前記テストストリップホルダが、第１および第２のアームを有する、テストストリップホルダと、
を備え、
前記テストストリップホルダの前記第１および前記第２のアームが前記読取ヘッドを覆っている第１の位置と、前記読取ヘッドが前記テストストリップホルダの前記第１および前記第２のアームを越えて延在している第２の位置との間で、前記テストストリップホルダが前記本体の前記長手方向軸線に沿って前記本体に対して移動可能である、測定器。
【請求項２】
前記読取ヘッドが、先細になっている、請求項１に記載の測定器。
【請求項３】
前記読取ヘッドが、円錐台の形状になっている、請求項２に記載の測定器。
【請求項４】
前記第１および前記第２のアームが、互いにほぼ平行に配向され、それらの間に空間を画定するように互いに離間されており、
前記読取ヘッドが、先細の部分を含み、前記先細の部分が、前記第１のアームと前記第２のアームとの間に画定された前記空間と少なくとも部分的に位置合わせされている、請求項１に記載の測定器。
【請求項５】
前記第１の位置では、前記読取ヘッドが前記本体のほぼ内側に配置され、前記第２の位置では、前記読取ヘッドが前記本体のほぼ外側に配置される、請求項１に記載の測定器。
【請求項６】
前記テストストリップホルダが、前記第１の位置では、前記本体の前記第２の端部から離れており、前記第２の位置では、前記本体の前記第２の端部に隣接している、請求項１に記載の測定器。
【請求項７】
第１の可動部材および前記テストストリップホルダを備える処理機構と、
前記第１の可動部材を前記第２の端部から離れるように付勢する第１のばねであって、前記第１のばねが、第１のばね定数を有する、第１のばねと、
前記テストストリップホルダの前記第１のアーム又は前記第２のアームの一方にかつ前記本体に取り付けられた第２のばねであって、前記第２のばねが、第２のばね定数を有する、第２のばねとをさらに備え、
前記第１のばね定数が、前記第２のばね定数よりも小さい、請求項１に記載の測定器。
【請求項８】
ヒンジ結合されたカバーであって、前記テストストリップホルダを覆う閉位置と、前記テストストリップホルダを覆わない開位置と、を有する、カバーをさらに備えている、請求項１に記載の測定器。
【請求項９】
前記テストストリップホルダ、および前記読取ヘッドの両方が、前記本体の前記長手方向軸線に沿って相対的に移動する、請求項１に記載の測定器。
【請求項１０】
前記測定器が、
前記本体に移動可能に連結され、かつ第１のガイド位置と第２のガイド位置との間で前記長手方向軸線に沿って移動可能な、移動可能なガイド部であって、前記移動可能なガイド部が前記第１のガイド位置にある場合には、前記移動可能なガイド部が前記本体の前記第２の端部から離れており、前記移動可能なガイド部が前記第２の位置にある場合には、前記移動可能なガイド部が前記本体の前記第２の端部に隣接している、移動可能なガイド部をさらに備え、
前記テストストリップホルダが、前記移動可能なガイド部に移動可能に連結され、かつ少なくとも部分的に前記移動可能なガイド部と前記本体との間に配置されている、請求項１に記載の測定器。
【請求項１１】
流体サンプル中の検体の濃度を測定する方法であって、
テストストリップに前記流体サンプルを供給するステップであって、前記テストストリップが、前記流体サンプル中の前記検体に反応するように、かつ前記流体サンプル中の前記検体の濃度を示す反応を生成するように適合された試薬を含む、ステップと、
前記テストストリップの中央サンプル部が、テスト測定器の読取ヘッドの中央部に位置決めされるように、テスト測定器の第１の部材に前記テストストリップを配置するステップであって、前記テストストリップの前記中央サンプル部が、前記テストストリップの外側部分同士の間に配置されている、ステップと、
前記テストストリップの前記中央サンプル部が前記読取ヘッドの上面に接触し、かつ前記テストストリップの周縁部が、前記上面から離れる方向に延びる前記読取ヘッドの周縁面に接触するように、前記第１の部材を、前記テスト測定器の第１の端部と第２の端部との間に延びる長手方向軸線に沿って移動させるステップとを含む方法。
【請求項１２】
前記第１の部材が本体の前記第２の端部から離れている第１の位置と、前記第１の部材が前記本体の前記第２の端部に隣接している第２の位置との間で前記第１の部材を移動させるステップであって、前記本体の前記第２の端部が、前記読取ヘッドに隣接している、ステップをさらに含む、請求項１１に記載の方法。
【請求項１３】
前記第１の位置では、前記読取ヘッドが本体のほぼ内側に配置され、前記第２の位置では、前記読取ヘッドが前記本体のほぼ外側に配置されている、請求項１２に記載の方法。
【請求項１４】
流体サンプル中の検体の濃度を測定するシステムであって、該システムは、
前記流体サンプル中の前記検体に反応するように、かつ前記流体サンプル中の前記検体の濃度を示す反応を生成するように適合された試薬を含む、テストストリップと、
第１および第２の端部を有する本体を含む測定器であって、前記本体が、前記第１の端部と前記第２の端部との間に延びる長手方向軸線を画定する、前記測定器と、
を備え、該測定器は、
前記本体に固定して連結され、かつ前記検体と前記試薬との間の反応を分析するように適合された読取ヘッドであって、前記読取ヘッドが前記本体のほぼ内側に配置されている第１の位置と、前記読取ヘッドが前記本体のほぼ外側に配置されている第２の位置との間で、前記本体の前記長手方向軸線に沿って、前記テストストリップが移動可能である、読取ヘッドをさらに有する、
システム。
【請求項１５】
前記読取ヘッドが、先細の部分を含む、請求項１４に記載のシステム。
【請求項１６】
前記読取ヘッドが、円錐台の形状である、請求項１５に記載のシステム。
【請求項１７】
前記本体が、互いにほぼ平行に配向され、かつその間に空間を画定するように互いに離間された第１および第２のアームをさらに備え、前記読取ヘッドが、前記本体の前記第１のアームと前記第２のアームとの間に画定された前記空間と少なくとも部分的に位置合わせされている、請求項１４に記載のシステム。
【請求項１８】
前記第１および前記第２のアームがそれぞれ第１および第２のスロットを有し、各前記第１および前記第２のスロットが、テストストリップの少なくとも一部を受ける寸法にされ、前記第１および前記第２のスロットが、前記長手方向軸線にほぼ垂直に配向されている、請求項１７に記載のシステム。
【請求項１９】
前記測定器が、前記テストストリップを保持するように構成されかつ前記本体に連結された移動可能なテストストリップホルダをさらに備え、前記移動可能なテストストリップホルダが前記第１の位置と前記第２の位置との間で前記長手方向軸線に沿って移動可能である、請求項１４に記載のシステム。
【請求項２０】
前記テストストリップホルダが、互いにほぼ平行に配置された第１および第２のアームを含み、
第１のばねが、前記第１のアームを前記本体に取り付け、
第２のばねが、前記第２のアームを前記本体に取り付ける、請求項１９に記載のシステム。
【発明の詳細な説明】
【技術分野】
【０００１】
（関連出願の相互参照）
本願は、「ＭＥＴＥＲＳ  ＷＩＴＨ  ＭＥＣＨＡＮＩＳＭ  ＦＯＲ  ＨＡＮＤＬＩＮＧ  ＳＥＮＳＯＲＳ」という名称の、２０１３年３月１２日に出願された米国特許仮出願第６１／７７７，６１４号の出願日の利益を主張し、その開示内容は参照することにより本願に組み込まれるものとする。
【背景技術】
【０００２】
体液中の検体の定量は、特定の生理学的異常の診断および維持管理において、非常に重要である。例えば、乳酸塩、フルクトサミン、コレステロール、ビリルビン、アルコール、および薬物は、特定個人についてモニタまたはテストすることができる。モニタまたはテストされる体液には、血液、間質液、唾液または尿が含まれ得る。特に、体液中のグルコースの測定は、食事中のグルコース摂取量を調整するために、体液中のグルコース値を頻繁に検査しなければならない糖尿病の個人にとって重要である。
【０００３】
グルコース値をテストする方法の１つは、テープ状物に試薬を含ませた体液試料容器の使用を介したものである。しかしながら、このような容器には、１つ以上の不利な点がある。例えば、既存の容器の１つの不利な点は、テストセンサまたはテストストリップが、容器から送出されねばならないことである。このような容器では、使用済みのセンサが容器内に収容されず、したがって、便利かつ／または安全に廃棄することができない。既存の容器の他の不利な点は、（ａ）試薬を劣化させる環境湿度に対して十分な保護をもたらすこと、および／または（ｂ）試薬感知装置を十分に清潔に保ち、通常使用の摩耗から保護すること、が含まれていない点である。
【発明の概要】
【発明が解決しようとする課題】
【０００４】
上述した欠点を克服する、グルコース等の検体の濃度を検知する容器を提供することが、望ましいであろう。
【課題を解決するための手段】
【０００５】
本発明は、流体サンプル中の検体の濃度を測定するシステムおよび方法に関する。
【０００６】
ここに開示された実施形態の一態様において、本システムは、テストストリップと測定器とを備える。
【０００７】
テストストリップは、第１および第２の端部、第１の端部に隣接する第１の端部部分、第２の端部に隣接する第２の端部部分、ならびに第１の端部部分と第２の端部部分との間にあって、第１および第２の端部から離れた中央部を有する。テストストリップの中央部は、流体サンプル中の検体に反応するように、かつ流体サンプル中の検体の濃度を示す反応を生成するように適合された試薬を含んでいる。テストストリップの第１および第２の端部はぞれぞれ、第１および第２の細長スロットを有する。
【０００８】
測定器は、第１および第２の端部を有し、第１の端部と第２の端部との間に延びる長手方向軸線を画定する、本体を備えている。さらに、測定器は、本体に移動可能に連結され、第１の可動部が本体の第１の端部に隣接している第１の位置と、第１の可動部が本体の第２の端部から離れている第２の位置との間で、長手方向軸線に沿って移動可能な、第１の可動部を含む。測定器は、また、第１の可動部に移動可能に連結され、少なくとも部分的に第１の可動部と本体との間に配置されている、第２の可動部を備える。第２の可動部は、第１の可動部が本体の第１の端部に隣接している第１の位置と、第１の可動部が本体の第２の端部から離れている第２の位置との間で、長手方向軸線に沿って移動可能である。第２の可動部は、互いにほぼ平行に配向され、それらの間に空間を画定するように互いに離間されている、第１および第２のアームを有する。さらに、第１および第２のアームはそれぞれ、第１および第２のスロットを有する。第１および第２のスロットの各々は、テストストリップの少なくとも一部を受ける寸法にされる。
【０００９】
測定器は、検体と試薬との間の反応を分析するように適合された読取ヘッドをさらに備える。読取ヘッドは、本体の第２の端部から突出している、先細の読取部を有する。先細の読取部は、第２の可動部の第１のアームと第２のアームとの間に画定された空間と、少なくとも部分的に位置合わせされている。
【００１０】
測定器は、第１の可動部に結合され、第１の可動部を第２の位置に付勢する第１のばねをさらに備える。第１のばねは、部分的に本体の内側に配置され、第１のばね定数を有する。測定器はまた、第２の可動部に結合され、第２の可動部を第２の位置に付勢する第２のばねを備える。第２のばねは、部分的に本体の内側に配置され、第２のばね定数を有する。第１のばね定数は、第２のばね定数よりも小さい。
【００１１】
測定器は、第１の可動部に枢動可能に連結されたカバーをさらに有し、カバーは、カバーが読取ヘッドの先細のヘッドを覆うように配置されている閉位置と、カバーが読取ヘッドの先細のヘッドを覆うように配置されていない開位置との間で移動可能である。カバーは、被覆部と結合部とを有する。被覆部は、結合部にほぼ垂直に配向される。測定器はまた、カバーの結合部を本体に枢動可能に結合するヒンジを有する。
【００１２】
ここに開示されている実施形態の別の態様において、本システムは、流体サンプル中の検体に反応するように、かつ流体サンプルおよびメーター中の検体の濃度を示す反応を生成するように適合された試薬を含むテストストリップと、測定器とを備える。測定器は、第１および第２の端部を有する本体を備える。測定器の本体は、第１の端部と第２の端部との間に延びる長手方向軸線を画定する。さらに、測定器は、本体に移動可能に連結され、検体と試薬との間の反応を分析するように適合された、読取ヘッドを備える。読取ヘッドは、読取ヘッドが本体のほぼ内側に配置されている第１の位置と、読取ヘッドが本体のほぼ外側に配置されている第２の位置との間で、本体の長手方向軸線に沿って移動可能である。
【００１３】
ここに開示されている実施形態の別の態様において、テストストリップに供給された流体サンプル中の検体の濃度を測定するために、測定器が開示される。測定器は、本体、読取ヘッド、およびテストストリップホルダを備えることができる。本体は、第１および第２の端部を有し、第１の端部と第２の端部との間に延びる長手方向軸線を画定する。読取ヘッドは、本体に連結され、テストストリップ上の検体を分析するように適合され得る。テストストリップホルダは、本体に連結され、第１および第２のアームを備えることができる。読取ヘッドまたはテストストリップホルダの少なくともいずれか１つは、テストストリップホルダの第１および第２のアームが読取ヘッドを覆っている第１の位置と、読取ヘッドがテストストリップホルダの第１および第２のアームを越えて延びている第２の位置との間で、本体の長手方向軸線に沿って移動可能である。いくつかの実施形態では、読取ヘッドおよびテストストリップホルダの両方が、長手方向軸線に沿って移動することができる。他の実施形態では、テストストリップホルダのみ、または読取ヘッドのみが、長手方向軸線に沿って移動することができる。
【００１４】
読取ヘッドは、先細であってもよい。一実施形態において、読取ヘッドは、円錐台の形状であってもよい。
【００１５】
テストストリップホルダの第１および第２のアームは、互いにほぼ平行に配向され、その間に空間を画定するように互いに離間させてもよい。読取ヘッドは、第１のアームと第２のアームとの間に画定された空間に少なくとも部分的に位置合わせされている、先細の部分を有することができる。
【００１６】
読取ヘッドは、本体の長手方向軸線に沿って移動することができる。読取ヘッドが第１の位置にあるときは、読取ヘッドは本体のほぼ内側に配置されており、読取ヘッドが第２の位置にあるときは、読取ヘッドは本体のほぼ外側に配置されている。
【００１７】
移動可能な基部を、本体に連結することができる。移動可能な基部が本体の第１の端部に隣接している第１の基部位置と、移動可能な基部が本体の第１の端部から離れている第２の基部位置との間で、移動可能な基部が長手方向軸線に沿って移動可能である。いくつかの実施形態で、移動可能な基部は、読取ヘッドに連結することができる。
【００１８】
第１のばねは、部分的に本体の内側に配置することができる。第１のばねは、移動可能な基部を第２の端部に向かって付勢することができる。第２のばねは、部分的に本体の内側に配置され、移動可能な基部を第１の端部に向かって付勢することができる。第１のばねは、第２のばね定数とは異なる第１のばね定数を有することができる。一実施形態では、第１のばね定数は、第２のばねの第２のばね定数よりも小さくてもよい。
【００１９】
テストストリップホルダおよび読取ヘッドは、本体の長手方向軸線に沿って移動することができる。テストストリップホルダの第１および第２のアームは、互いにほぼ平行に配向され、その間に空間を画定するように互いに離間させてもよい。読取ヘッドは、第１のアームと第２のアームとの間に画定された空間に少なくとも部分的に位置合わせされている、先細の部分を含むことができる。一実施形態で、テストストリップホルダは、本体の内側に形成されてもよい。例えば、テストストリップホルダは、テストストリップホルダが本体に対して移動しないように、本体と一体的に形成されてもよい。
【００２０】
測定器は、移動可能に本体に連結され、第１のガイド部と第２のガイド部との間で長手方向軸線に沿って移動できる、移動可能なガイド部をさらに備える。移動可能なガイド部は、移動可能なガイド部が本体の第２の端部から離れている場合には、第１のガイド位置にある。移動可能なガイド部は、移動可能なガイド部が本体の第２の端部に隣接している場合には、第２の位置にある。テストストリップホルダは、移動可能なガイド部に移動可能に連結され、少なくとも部分的に、移動可能なガイド部と本体との間に配置されている。
【００２１】
本発明の別の態様によれば、流体サンプル中の検体の濃度を測定する方法は、テストストリップに流体サンプルを供給することと、テストストリップの中央サンプル部が、テスト測定器の読取ヘッドの中央部と位置合わせされるように、テストストリップをテスト測定器の第１の部材に配置することと、テストストリップの中央部が読取ヘッドの上面に接触し、テストストリップの周縁部が、読取ヘッドの上面から離れる方向に延びて読取ヘッドの周縁面に接触するように、第１の部材または読取ヘッドのうちの少なくとも１つを、テスト測定器の第１の端部と第２の端部との間に延びる長手方向軸線に沿って移動させることとを含む。テストストリップは、流体サンプル中の検体に反応するように、かつ流体サンプル中の検体の濃度を示す反応を生成するように適合された試薬を含むことができる。テストストリップの中央部は、テストストリップの外側部分同士の間に配置することができる。
【００２２】
第１の部材は、第１の部材が本体の第２の端部から離れている第１の位置と、第１の部材が本体の第２の端部に隣接している第２の位置との間で移動させることができ、本体の第２の端部は、読取ヘッドに隣接している。
【００２３】
読取ヘッドは、読取ヘッドが本体のほぼ内側に配置されている第１の位置と、読取ヘッドが本体のほぼ外側に配置されている第２の位置との間で移動させることができる。
【００２４】
ここに開示されている実施形態の別の態様は、流体サンプル中の検体の濃度を測定するシステムを含む。本システムは、テストストリップとテスト測定器とを備える。テストストリップは、流体サンプル中の検体に反応するように、かつ流体サンプル中の検体の濃度を示す反応を生成するように適合された試薬を含むことができる。測定器は、第１および第２の端部を有する本体を備える。本体は、第１の端部と第２の端部との間に延びる長手方向軸線を画定する。測定器は、本体に移動可能に連結され、検体と試薬との間の反応を分析するように適合された、読取ヘッドをさらに備えることができる。読取ヘッドは、読取ヘッドが本体のほぼ内側に配置されている第１の位置と、読取ヘッドが本体のほぼ外側に配置されている第２の位置との間で、本体の長手方向軸線に沿って移動可能である。いくつかの実施形態で、読取ヘッドは、先細の部分を有するか、または円錐台の形状にすることができる。
【００２５】
測定器の本体は、互いにほぼ平行に配向され、その間に空間を画定するように互いに離間されている、第１および第２のアームをさらに備える。読取ヘッドは、本体の第１のアームと第２のアームとの間に画定された空間と、少なくとも部分的に位置合わせすることができる。
【００２６】
テストストリップホルダの第１および第２のアームは、各々、第１および第２のスロットを有する。第１および第２のスロットの各々は、テストストリップの少なくとも一部を受ける寸法にすることができる。第１および第２のスロットは、長手方向軸線にほぼ垂直に配向することができる。
【００２７】
測定器は、本体および読取ヘッドに連結された移動可能な基部をさらに備える。移動可能な基部は、移動可能な基部が本体の第１の端部に隣接している第１の基部位置と、移動可能な基部が本体の第１の端部から離れている第２の基部位置との間で、長手方向軸線に沿って移動可能である。移動可能な基部が第１の基部位置にある場合に、読取ヘッドは第１の位置にある。移動可能な基部が第２の基部位置にある場合に、読取ヘッドは第２の位置にある。
【００２８】
本システムは、第１のばねと第２のばねとをさらに備えることができる。第１のばねは、部分的に本体の内側に配置され、第１のばねは、移動可能な基部を第２の端部に向かって付勢し、第１のばね定数を有する。第２のばねは、部分的に本体の内側に配置され、移動可能な基部を第１の端部に向かって付勢することができる。第２のばねは、第２のばね定数を有し、第１のばね定数は、第２のばね定数よりも小さくてもよい。
【００２９】
本開示の、これらおよび他の実施形態については、以下でより詳細に説明される。
【００３０】
本発明の様々な実施形態が、添付の図面を参照しながら、ここで説明される。これらの図面は、本発明の例示的な実施形態を示すのみであり、したがって、その範囲を限定するものと見なしてはならないことが理解されよう。
【図面の簡単な説明】
【００３１】
【図１Ａ】本発明の実施形態による、流体サンプル中の検体の濃度を測定するための測定器の概略側面図である。
【図１Ｂ】図１Ａの測定器の概略正面図である。
【図２Ａ】カバーが開位置にある、図１Ａの測定器の概略側面図である。
【図２Ｂ】カバーが開位置にある、図１Ａの測定器の概略正面図である。
【図３】本発明で説明される測定器で使用するための、テストストリップの概略上面図である。
【図４Ａ】図１Ａに示す測定器を操作する段階を示す。
【図４Ｂ】図１Ａに示す測定器を操作する段階を示す。
【図５Ａ】図１Ａに示す測定器を操作する段階を示す。
【図５Ｂ】図１Ａに示す測定器を操作する段階を示す。
【図６Ａ】本発明の実施形態による、流体サンプル中の検体の濃度を測定するための測定器の概略側面図である。
【図６Ｂ】図６Ａに示す測定器の概略正面図である。
【図７Ａ】図６Ａに示す測定器を操作する段階を示す。
【図７Ｂ】図６Ａに示す測定器を操作する段階を示す。
【図８Ａ】図６Ａに示す測定器を操作する段階を示す。
【図８Ｂ】図６Ａに示す測定器を操作する段階を示す。
【図９Ａ】図６Ａに示す測定器を操作する段階を示す。
【図９Ｂ】図６Ａに示す測定器を操作する段階を示す。
【図１０Ａ】図６Ａに示す測定器を操作する段階を示す。
【図１０Ｂ】図６Ａに示す測定器を操作する段階を示す。
【発明を実施するための形態】
【００３２】
本発明は、テストストリップ等のテストストリップを読み、処理するためのシステム、測定器、および方法に関する。図１Ａおよび図１Ｂは、流体サンプル中の検体濃度を測定するように適合された、テストストリップを読み、処理するための測定器１０の実施形態を示す。以下の考察は、血液中のグルコース濃度を測定するためのテストストリップの使用について述べているが、ここに開示される測定器１０は、他の種類のサンプル中の、他の検体の濃度を測定するように設計されたテストストリップを含んでもよい。例えば、テストストリップは選択的に、グルコース、脂質状態（コレステロール、トリグリセリド、低密度リポタンパク質（ＬＤＬ）、および高密度リポタンパク質（ＨＤＬ）等）、微量アルブミン、ヘモグロビンＡ１ｃ、フルクトース、乳酸塩、ビリルビンその他の検体を測定してもよい。検体は、例えば、血液サンプル全体、血清サンプル、血漿サンプル、または間質液（ＩＳＦ）等の体液および尿の中に存在し得る。
【００３３】
測定器１０は、第１の端部１４、第２の端部１６を有し、長手方向軸線Ｙを画定する本体１２を備える。長手方向軸線Ｙは、本体１２の第１の端部１４および第２の端部１６を通過する。本体１２は、対向する第１の側壁１８および第２の側壁２０と、前壁２２および後壁２４とをさらに有する。第１の側壁１８および第２の側壁２０、ならびに前壁２２および後壁２４は、本体１２の第１の端部１４と第２の端部１６との間に延びている。
【００３４】
本体１２に加えて、測定器１０は、テストストリップ上の検体と試薬との間の反応を分析するように適合された読取ヘッド２８を備える。読取ヘッド２８は、テストストリップ上の試薬パッド（試料）を照射するように構成され、非鏡面反射光の測定値を取得するように構成された、光学式読取ヘッドであってもよい。読取ヘッド２８は、本体１２の第２の端部１６に取り付けられており、ほぼ平坦な基部３０と、ほぼ先細または円錐台形の読取部３２とを備えることができる。読取ヘッド２８のほぼ平坦な基部３０は、本体１２のスロット３４内に配置することができる。本体１２のスロット３４は、第１の側壁１８および第２の側壁２０から離れた、第２の端部１６のほぼ中央部内に位置することができる。読取ヘッド２８のほぼ平坦な読取部３２は、長手方向軸線Ｙに沿って、本体の第１の端部１４の反対方向に、本体１２の第２の端部１６から離れて突出している。
【００３５】
測定器１０は、テープ状のテストストリップやセンサ等の、テストストリップを処理するための機構２６をさらに備える。処理機構２６は、本体１２に移動可能に連結された、第１の可動部材３６を備える。第１の可動部材３６は、第１の位置と第２の位置との間で、長手方向軸線Ｙに沿って、本体１２に対して動かすことができる。第１の位置では、第１の可動部材３６は、図１Ｂに示すように、本体１２の第２の端部１６から離れている。第２の位置では、第１の可動部材３６は、図５Ｂに示すように、本体１２の第２の端部１６に隣接している。
【００３６】
第１の可動部材３６は、各々が本体１２の側壁１８および側壁２０に沿ってスライドするように適合された、第１のスライドアーム３８と第２のスライドアーム４０とを備えることができる。具体的には、第１のスライドアーム３８は、本体１２の第１の側壁１８の少なくとも一部に形成された、凹部４２に沿ってスライドすることができる。同様に、第２のスライドアーム４０は、本体１２の第２の側壁２０の少なくとも一部に形成された、凹部４４に沿ってスライドすることができる。第１のスライドアーム３８および第２のスライドアーム４０の各々は、側壁（１８または２０）に沿って配置された、第２のスライドレール４８に沿ってスライドするように適合された、第１のスライドレール４６を含むことができる。スライドレール４６および４８は集合的に、側壁（１８または２０）に沿ったスライドアーム（３８または４０）の移動を導くように適合された、ガイド機構５０を形成する。測定器１０は選択的に、スライドアーム３８および４０の、本体１２の側壁１８および２０に対する移動を導くことができる、他の種類のガイド機構を備えていてもよい。
【００３７】
第１の可動部材３６は、以下で詳しく説明するように、テストストリップを第２の可動部材に固定するように適合された、第１の固定アーム５２および第２の固定アーム５４をさらに備える。第１の固定アーム５２は、読取ヘッド２８に向かって、第１のスライドアーム３８からほぼ垂直に延びている。第２の固定アーム５４は、読取ヘッド２８に向かって、第２のスライドアーム４０からほぼ垂直に延びている。第１の固定アーム５２および第２の固定アーム５４は、互いにほぼ平行であり、共通の長手方向軸線Ｘに沿って広がっている。しかしながら、第１の固定アーム５２および第２の固定アーム５４は、その間に空間５６または開口を形成するように、互いに離間されている。空間５６は、読取ヘッド２８の少なくとも一部を受ける寸法にされる。
【００３８】
第１の固定アーム５２および第２の固定アーム５４は、各々、固定ピン５８および６０を備える。固定ピン５８および６０の各々は、先細の構成を有することができ、空間５６に隣接する各固定アーム５２または５４の１つの終端から、ほぼ垂直に延びている。以下で詳しく述べるように、固定ピン５８および６０は、テストストリップを測定器１０に固定するのを補助する。
【００３９】
第１の可動部材３６は、本体１２内に部分的に配置された、チューブやロッド等の第１の細長部材６２および第２の細長部材６４をさらに備える。第１の細長部材６２および第２の細長部材６４は、正方形、円形、楕円形等の、任意適当な断面を有していてもよい。第１の細長部材６２は、第１の固定アーム５２からほぼ垂直に延び、第２の細長部材６４は、第２の固定アーム５４からほぼ垂直に延びる。第１の細長部材６２は、本体１２の第１の細長い開口または穴６６の中に、スライド可能に配置されるような寸法にされる。第２の細長部材６４は、本体１２の第２の細長い開口または穴６８の中に、スライド可能に配置されるような寸法にされる。
【００４０】
第１の細長い開口６６および第２の細長い開口６８は、互いにほぼ平行であり、各々、本体１２の第２の端部１６から、本体１２の第１の端部１４と第２の端部１６との間の位置へと延びている。第１の細長い開口６６および第２の細長い開口６８の各々は、本体１２の第２の端部１６に隣接した第１の部分７０および７２を各々有し、かつ本体１２の第２の端部１６から離れた第２の部分７４および７６を各々有する。開口６６の第１の部分７０の断面積または直径は、第２の部分７４の断面積よりも大きい。同様に、開口６８の第１の部分７２の断面積は、第２の部分７６の断面積よりも大きい。肩部７８は、開口６６の第１の部分７０および第２の部分７４を分割することができる。同様に、肩部８０は、開口６８の第１の部分７２および第２の部分７６を分割することができる。
【００４１】
処理機構２６は、第１の可動部材３６を、本体１２の第２の端部１６から離れた、その第１の位置に向かって付勢するばね８２等の、付勢部材をさらに備える。ばね８２は、第１の細長部材６２に結合されて、開口６６の第２の部分７４内に配置することができる。したがって、開口６６の第２の部分７４は、ばね８２を受ける寸法にされる。
【００４２】
処理機構２６は、第１の可動部材３６を、本体１２の第２の端部１６から離れた、その第１の位置に向かって付勢するばね８４等の、別の付勢部材を備える。ばね８４は、第２の細長部材６４に結合されて、開口６８の第２の部分７６内に配置される。したがって、開口６８の第２の部分７６は、ばね８４を受ける寸法にされる。
【００４３】
処理機構２６は、本体１２に結合され、本体１２の第２の端部１６から離れた第１の位置（図１Ａ）と、本体１２の第２の端部１６に隣接した第２の位置（図５Ｂ）との間で、長手方向軸線Ｙに沿って移動可能な、第２の可動部材９０をさらに備える。第２の可動部材９０は、第１の可動部材３６から独立して動くことができ、テストストリップ等のテストストリップを支持するように適合された、第１のアーム９２と第２のアーム９４とを備える。この独立した動作性にも関わらず、第２の可動部材９０は、少なくともその第２の位置にあるときは、第１の可動部材３６に隣接することができる。
【００４４】
第２の可動部材９０の第１のアーム９２および第２のアーム９４は、互いにほぼ平行に配向され、共通の長手方向軸線Ｚに沿って配置することができる。しかしながら、第１のアーム９２および第２のアーム９４は、その間に空間または開口９６を形成するように、互いに離間されている。開口９６は、読取ヘッド２８の少なくとも一部を受ける寸法にされる。
【００４５】
第２の可動部材９０の第１のアーム９２は、少なくとも部分的に開口６６の第１の部分７０内に配置されるばね９８等の付勢部材を介して、本体１２に取り付けることができる。ばね９８の１つの終端は、開口６６の肩部７８に載置される（または取り付けられる）ことができる。ばね９８は、ばね８２よりも強いかまたは硬い。言い換えると、（弾性力についてのフックの法則によれば）ばね９８のばね定数は、ばね８２のばね定数よりも高い。したがって、第１の可動部材３６と第２の可動部材９０とに同じ力を印加することによって、第１の可動部材３６は、本体１２の第２の端部１６に向かって、第２の可動部材９０の変位に対してより長い距離を移動する。
【００４６】
第２の可動部材９０の第２のアーム９４は、少なくとも部分的に開口６８の第１の部分７２内に配置されているばね１００等の付勢部材を介して、本体１２に取り付けることができる。ばね１００の１つの終端は、開口６８の肩部８０に載置される（または取り付けられる）ことができる。ばね１００は、ばね８４よりも強いかまたは硬い。言い換えると、（弾性力についてのフックの法則によれば）ばね１００のばね定数は、ばね８４のばね定数よりも高い。したがって、第１の可動部材３６と第２の可動部材９０とに同じ力を適用することによって、第１の可動部材３６は、本体１２の第２の端部１６に向かって、第２の可動部材９０の変位に対してより長い距離を移動する。
【００４７】
第２の可動部材９０の第１のアーム９２および第２のアーム９４の各々は、スロット１０２および１０４を各々有する。スロット１０２および１０４の各々は、テストストリップ等のテストストリップの少なくとも一部を受ける寸法にされ、長手方向軸線Ｚに沿って延びることができる。第１のアーム９２および第２のアーム９４の各々は、穴１０６および１０８の各々をさらに有する。穴１０６および１０８は、各々、固定ピン５８および６０を受ける寸法にされる。穴１０６および１０８は、長手方向軸線Ｚにほぼ直交するように、かつ長手方向軸線Ｙとほぼ平行に配向することができる。
【００４８】
測定器１０は、処理機構２６に枢動可能に連結された蓋またはカバー１１０をさらに備える。カバー１１０は、カバーが読取ヘッド２８の上方に位置する閉位置（図１Ａ）と、カバーが読取ヘッド２８の上方に位置していない開位置（図２Ａ）との間で移動することができる。カバー１１０は、第１の可動部材３６に枢動可能に結合される結合部またはリップ１１２、ならびに結合部１１２の終端からほぼ垂直に延びる被覆部１１４を備えることができる。被覆部１１４は、カバー１１０が閉位置にあるときは読取ヘッド２８を覆い、したがって、読取ヘッド２８を環境汚染から保護する。ヒンジ１１６その他の任意の枢動結合を確立するのに適切な装置または機構は、カバー１１０の被覆部１１４を処理機構２６の第１の可動部材３６に連結する。このような枢動連結により、カバー１１０は、被覆部１１４が読取ヘッド２８を覆って読取ヘッドを環境汚染から保護している閉位置（図１Ａ）と、被覆部が読取ヘッド２８を覆っていない開位置（図２Ａ、２Ｂ）との間で移動することが可能になる。
【００４９】
図３は、測定器１０で使用するテストストリップすなわちテストストリップ１２０を示す。いくつかの実施形態で、テストストリップ１２０は、上面充填（ｔｏｐ  ｆｉｌｌ）のテストストリップであってもよい。他の実施形態で、テストストリップ１２０は、テープ状の他の種類のテストストリップであってもよい。図３に示す実施形態で、テストストリップ１２０は、その長さに沿って長手方向軸線Ａを画定し、互いにほぼ直列している第１の細長スロット１２２および第２の細長スロット１２４を有することができる。細長スロット１２２および１２４は両方とも、テストストリップ１２０の厚さを貫いて延び、長手方向軸線Ａに沿って配置することができる。第１の細長スロット１２２が、テストストリップ１２０の第１の端部１２６に隣接しているのに対し、第２の細長スロット１２４は、テストストリップ１２０の第２の端部１２８に隣接している。テストストリップ１２０はまた、流体サンプル中の対象となる検体に反応する１つ以上の試薬を含む、反応領域１３０を有する。反応領域１３０は、第１の端部１２６および第２の端部１２８から離れた、テストストリップ１２０の中央領域１３２内に位置する。一例では、テストストリップ１２０は、長さ２８．３ミリメートル、幅４ミリメートルとすることができる。テストストリップ１２０は、また、異なる寸法にされてもよい。
【００５０】
操作時に、テストストリップ１２０および測定器１０は、流体サンプル中の検体の濃度を測定するシステムを集合的に形成する。最初は、測定器１０のカバー１１０は、図１Ａおよび図１Ｂに示すように閉位置にあってもよい。テストストリップ１２０を測定器１０内に配置する前に、第２の可動部材９０をむき出しにするために、カバー１１０を閉位置から図２Ａおよび図２Ｂに示すような開位置に移動させる。カバー１１０は、図２Ａおよび図２Ｂに示すように、１８０度枢動することによって開位置に移動させることができる。図４Ａおよび図４Ｂに示すように、カバー１１０が開位置にあると、テストストリップ１２０は、第２の可動部材９０のスロット１０２および１０４内に配置される。
【００５１】
図４Ａおよび４Ｂを引き続き参照すると、第１および第２の可動部材を矢印Ａに沿って、本体１２の第２の端部１６に向かって進めるか押すことによって、第１の可動部材３６および第２の可動部材９０は、その第１の位置からその第２の位置に向かって移動する。ユーザーは、カバー１１０への力の印加により、第１の可動部材３６および第２の可動部材９０を、その第２の位置に向かって進めることができる。第１の可動部材３６および第２の可動部材９０を、第１の位置から第２の位置に移動させている間に、第１の可動部材は、第２の可動部材９０に接近する。これは、ばね８２および８４が、第２の可動部材に結合されたばね９８および１００よりも弱いからである。結果として、第１の可動部材３６の固定ピン５８および６０は、第２の可動部材９０の穴１０６および１０８ならびにテストストリップ１２０のスロット１２２および１２４を通過することができ、第１および第２の可動部材が第１の位置から第２の位置へと移動することによって、図５Ａおよび図５Ｂに示すように、テストストリップは測定器１０に固定される。
【００５２】
図５Ａおよび図５Ｂに示すように、本体１２の第２の端部１６に向かう第１の可動部材３６および第２の可動部材９０の連続的な動きによって、テストストリップ１２０の反応領域１３０が、測定器１０の読取ヘッド２８へと進む。また、第１の可動部材３６および第２の可動部材９０が第１の位置から第２の位置に移動している間に、固定ピン５８および６０は、テストストリップ１２０のスロット１２２および１２４に沿って、テストストリップ１２０の端部１２６および１２８に向かって外向きにスライドする。固定ピン５８および６０が、テストストリップ１２０のスロット１２２および１２４の外側の端部に達すると、テストストリップ１２０は引っ張られた状態に維持され、テストストリップ１２０の反応領域１３０が、測定器１０の読取ヘッド２８に押し付けられる。
【００５３】
第１の可動部材３６および第２の可動部材９０は、任意適当な固定機構または装置（図示せず）を用いて、本体の第２の端部１６に隣接するその第２の位置に固定することができる。１つの例示的な実施形態において、固定機構は、カバー１１０に取り付けられたラッチと、本体１２の第１の端部１４に隣接して取り付けられたばね式留め具とを備える。
【００５４】
図５Ａおよび図５Ｂに示すように、第１の可動部材３６および第２の可動部材９０がその第２の位置になると、流体サンプル中の検体の濃度を従来の方法で測定するために、流体サンプルをテストストリップ１２０の反応領域１３０に付着させることができる。流体サンプルをテストした後、テストストリップ１２０は、カバー１１０を閉位置に移動させる前に、第２の可動部材９０から除去することができる。あるいは、カバー１１０は、テストストリップが測定器１０内にある状態で、テストストリップ１２０と共に閉位置に移動させることができる。この場合、テストストリップ１２０は、後で廃棄することができる。
【００５５】
上述の実施形態では、テストストリップ１２０が読取ヘッドの方に移動している間、読取ヘッド２８は、測定器１０の本体１２に対して静止した状態である。しかしながら、他の実施形態では、テストストリップが測定器の本体に対して静止した状態である間に、読取ヘッドがテストストリップの方へ移動する。
【００５６】
図６Ａ〜図７Ｂは、テストストリップが測定器２００の本体２１２に対して静止した状態である間に、読取ヘッド２２８がテストストリップ１２０に対して移動できるようにする処理機構２２６を有する、測定器２００を示す。測定器２００の本体２１２は、その長さに沿って長手方向軸線Ｂを画定する。長手方向軸線Ｂは、本体２１２の対向する第１の端部２１４と、第２の端部２１６との間に延びている。
【００５７】
測定器２００の本体２１２は、その第２の端部２１６に隣接する、第１のスロット３０２および第２のスロット３０４を有する。スロット３０２および３０４の各々は、テストストリップ１２０の少なくとも一部を受ける寸法にされる。第１のスロット３０２および第２のスロット３０４は、長手方向軸線Ｂにほぼ垂直に配向することができ、その間に空間または開口２５６を形成するように互いに離間されている。開口２５６は、本体２１２の開放キャビティ２１１に通じている。開放キャビティ２１１は、処理機構２２６および読取ヘッド２２８の少なくとも一部を受ける寸法にされる。
【００５８】
測定器２００の本体２１２は、スロット３０２に隣接する穴３０６と、スロット３０４に隣接する穴３０８（図７Ｂ）とをさらに有する。穴３０６および３０８は、長手方向軸線Ｂとほぼ平行であってもよい。
【００５９】
読取ヘッド２２８は、開放キャビティ２１１内に適合する寸法にされ、ほぼ先細または円錐台形の読取部２３２と、ほぼ円筒形の部分２３１とを有する。いくつかの実施形態で、読取ヘッド２２８は、テストストリップの試薬パッド（試料）を照射するように、かつ非鏡面反射光の測定値を取得するように構成された光学式読取ヘッドであってもよい。さらに、読取ヘッド２２８は、支持台２３０に取り付けられており、長手方向軸線Ｂに沿って、測定器２００の本体２１２に対して移動させることができる。読取ヘッド２２８は、支持台２３０に固定されていることにより、支持台と共に移動する。
【００６０】
支持台２３０は処理機構２２６の一部であり、図６Ｂに示すような、読取ヘッド２２８が全体的または部分的に開放キャビティ２１１の内側に配置されている第１の位置と、図１０Ｂに示すような、読取ヘッド２２８の読取部２３２の全体またはかなりの部分が開放キャビティ２１１の外側に配置されている第２の位置との間で、長手方向軸線Ｂに沿って移動することができる。さらに、支持台２３０は、ほぼ平坦な底面を有する支持部２３３と、第１の細長支持部材２３８および第２の細長支持部材２４０とを備えることができる。支持部２３３のほぼ平坦な底面は、長手方向軸線Ｂとほぼ直交するように配向されてもよい。第１の細長支持部材２３８および第２の細長支持部材２４０は、各々、図７Ａに示すように、ほぼＬ字型の形状を有していてもよい。
【００６１】
測定器２００は、第１の細長支持部材２３８および第２の細長支持部材２４０に枢動可能に連結された、蓋またはカバー３１０をさらに備える。カバー３１０は、第１の細長支持部材２３８および第２の細長支持部材２４０に枢動可能に結合されるリップまたは結合部３１２と、結合部３１２の終端からほぼ垂直に延びる被覆部３１４とを備えることができる。一実施形態では、ヒンジ３１６によって、第１の細長支持部材２３８の終端を、カバー３１０の終端に枢動可能に結合することができる。同様に、ヒンジ（図示せず）によって、第２の細長支持部材２４０の終端を、カバー３１０の別の終端に枢動可能に結合することができる。図面は、カバー３１０を第１の細長支持部材２３８および第２の細長支持部材２４０に枢動可能に結合するヒンジを示しているが、ピボットピン等の任意適当な装置または機構によって、カバーを第１および第２の細長支持部材に枢動可能に連結することができる。このような枢動結合により、カバー３１０は、被覆部３１４が読取ヘッド２２８を覆って読取ヘッドを環境汚染から保護している、図７Ａに示すような閉位置と、被覆部が読取ヘッドを覆っていない、図８Ａに示すような開位置との間で移動することが可能になる。
【００６２】
較正基準または参照基準３１１が、カバー３１０の内部に取り付けられてもよい。較正基準は、読取ヘッド２２８に面していてもよく、較正のため、および光学部品が清浄であって血液その他の体液で汚染されていないことを検査するための、知られている反射率レベルをもたらすことができる。反応シーケンスによって、基準がテスト（例えば血糖値テスト）の前に測定されない場合は、次の分析の後で測定することができる。
【００６３】
処理機構２２６は、第１の細長ガイド部材２６２および第２の細長ガイド部材２６４を備え、これに沿って支持台２３０はスライドすることができる。支持台２３０は、ほぼＨ字型の形状であってもよい。第１の細長ガイド部材２６２および第２の細長ガイド部材２６４は、チューブまたはロッドその他任意の種類の細長い構造体であってもよい。第１の細長部材２６２および第２の細長部材２６４の断面は、楕円形、正方形、長方形、円形等の異なる形状を有していてもよい。これに関わらず、第１の細長部材２６２および第２の細長部材２６４は、長手方向軸線Ｂに沿って移動することができ、読取ヘッド２２８は、測定器２００のガイド部材２６２および２６４に沿って移動することができる。いくつかの実施形態では、第１の細長ガイド部材２６２および第２の細長ガイド部材２６４は、互いに離間され、互いにほぼ平行にすることができる。第１の細長ガイド部材２６２の第１の端部２６３は、本体２１２の開口または穴２６５の中に配置され、スライドするような寸法にされている。同様に、第２の細長ガイド部材２６４の第１の端部２６７は、本体２１２の開口または穴２６９の中に配置され、スライドするような寸法にされている。開口２６５および２６９は、開放キャビティ２１１と連通している。
【００６４】
本体の開口３０２は、第１の細長ガイド部材２６２の第２の端部の直径よりも小さいので、細長部材２６２の第２の端部への移動を制限する。第１の固定ピン２５８は、先細の先端を有し、本体２１２の第２の端部２１６に向かって、第１の細長ガイド部材２６２の第２の端部２５９から突出していてもよい。さらに、第１の固定ピン２５８は、スロット３０２および３０４に配置されたテストストリップ１２０の少なくとも一部を固定するために、本体２１２の穴３０６内で受けられるような寸法にされている。
【００６５】
本体の開口３０８は、第１の細長ガイド部材２６４の第２の端部の直径よりも小さいので、細長部材２６２の第２の端部への移動を制限する。第２の固定ピン２６０は、先細の先端を有し、第２の細長ガイド部材２６４の第２の端部２６１から突出していてもよい。また、第２の固定ピン２６０は、スロット３０２および３０４に配置されたテストストリップ１２０の少なくとも一部を固定するために、穴３０８内で受けられるような寸法にされている。
【００６６】
第１の機械的止め部または分割器２７０は、第２の端部２５９に隣接する第１の細長ガイド部材２６２の外周に配置される。また、第１の機械的止め部２７０は、第１の付勢部品すなわちばね２７２を第２の付勢部品すなわちばね２７４から分離している。第１のばね２７２および第２のばね２７４は両方とも、第１の細長ガイド部材２６２の周囲に配置することができる。第２のばね２７４は、第１の細長ガイド部材を本体２１２の第１の端部２１４に向かって付勢するが、第１のばね２７２は、支持台２３０を本体の第２の端部２１６に向かって付勢する。第１のばね２７２は、第２のばね２７４よりも硬い。
【００６７】
第２の機械的止め部または分割器２７６は、第２の端部２６１に隣接する第２の細長ガイド部材２６４の外周に配置される。さらに、第２の機械的止め部２７６は、第３の付勢部品すなわちばね２７８を第４の付勢部品すなわちばね２８０から分離している。第３のばね２７８および第４のばね２８０は両方とも、第２の細長ガイド部材２６４の周囲に配置することができる。第４のばね２８０は、第２の細長ガイド部材２６４を本体２１２の第１の端部２１４に向かって付勢するが、第３のばね２７８は、支持台を本体２１２の第２の端部２１６に向かって付勢する。第３のばね２７８は、第４のばね２８０よりも硬い。
【００６８】
使用時に、測定器２００は、テストストリップすなわちテストストリップ１２０を取り扱うために使用することができる。操作中は、カバー３１０は、スロット３０２およびスロット３０４、ならびに読取ヘッド２２８を露出させるために、図７Ａに示すような閉位置から、図８Ａに示すような開位置に移動させる。次に、テストストリップ１２０が、図８Ｂに示すように、スロット３０２および３０４内に配置される。
【００６９】
テストストリップ１２０がスロット３０２および３０４内に配置されると、支持台２３０は、図９Ａおよび図９Ｂに示すように、第１のばね２７２および第２のばね２７４、ならびに第３のばね２７８および第４のばね２８０の作用に抗して（すなわちその第２の位置に向かって）、本体２１２の第１の端部２１４から離れるように進められる。支持台２３０は、カバー３１０を介して移動させることができる。支持台２３０がその第２の位置に向かって移動すると共に、読取ヘッド２２８は、第１、第２、第３、および第４のばねに抗してテストストリップ１２０に向かって移動する。第２のばね２７４および第４のばね２８０は、第１のばね２７２および第３のばね２７８より弱いため、第１の細長ガイド部材２６２および第２の細長ガイド部材２６４は、まず第２の端部２１６の方へ移動して、第１の固定ピン２５８および第２の固定ピン２６０が、各々、穴３０６および３０８に入る。第１の細長ガイド部材２６２の移動は、第２の端部２５９が、穴３０８のより小さい開口によって遮断されて停止する。第２の細長ガイド部材２６４の移動は、第２の端部２６１が、穴３０８のより小さい開口によって遮断されて停止する。本体の第１の端部２１４から離れる、支持台２３０の連続的な移動によって、図９Ａおよび図９Ｂに示すように、読取ヘッド２２８が、第１のばね２７２および第３のばね２７８に抗して、第１の細長ガイド部材２６２および第２の細長ガイド部材２６４に沿ってスライドし、本体２１２の第２の端部２１６を越えるように、テストストリップ１２０の少なくとも反応領域１３０を押す。
【００７０】
第１の固定ピン２５８および第２の固定ピン２６０が穴３０６および３０８に各々入ると、第１の固定ピン２５８および第２の固定ピン２６０が、テストストリップ１２０のスロット１２２および１２４を通過することによって、テストストリップを測定器２００に固定する。支持台２３０が、本体２１２の第１の端部２１４から離れて移動し続けると共に、第１の固定ピン２５８および第２の固定ピン２６０は、スロットの内端からスロットの外端まで、テストストリップ１２０のスロット１２２および１２４に沿って移動する。支持台２３０は、図１０Ａおよび図１０Ｂに示すように、支持台２３０がその第２の位置に達するまで、本体２１２の第１の端部２１４から離れて移動する必要がある。この時点で、テストストリップ１２０が読取ヘッド２２８に押し付けられ、読取ヘッド２２８の大部分は、開放キャビティ２１１の外側に配置される。
【００７１】
支持台２３０は、任意適当なロック機構で、その第２の位置にロックすることができる。例えば、ばね式ラッチがカバー３１０に取り付けられてもよく、留め具が、その第１の端部２１４の近傍で本体２１２に取り付けられてもよい。ラッチは、留め具に引っ掛かるように構成することができ、支持台２３０を（カバー３１０を介して）その第２の位置に維持する。
【００７２】
次に、血液等の流体サンプルを、その流体サンプル中の検体の濃度を測定するために、テストストリップ１２０の反応領域１３０に付着させる。流体サンプルをテストした後、カバー１１０を閉位置に戻す前に、テストストリップ１２０をスロット３０２および３０４から除去することができる。あるいは、テストストリップ１２０が測定器１０の内部にある状態で、カバー１１０を閉位置に移動させることができる。この場合、テストストリップ１２０は、後で廃棄することができる。
【００７３】
本開示のいくつかの実施形態が、以下の段落でさらに説明される。
【００７４】
代替的な実施形態Ａ
流体サンプル中の検体の濃度を測定するシステムであって、
第１および第２の端部を有するテストストリップであって、前記第１の端部に隣接する第１の端部部分、前記第２の端部に隣接する第２の端部部分、ならびに前記第１の端部部分と前記第２の端部部分との間にあって、前記第１および前記第２の端部から離れている中央部を有し、前記テストストリップの前記中央部が、前記流体サンプル中の前記検体と反応するように、かつ前記流体サンプル中の前記検体の濃度を示す反応を生成するように適合された試薬を含み、前記第１および第２の端部が、第１および第２の細長スロットを各々有する、テストストリップと、
第１および第２の端部を有する本体を含み、前記第１の端部と前記第２の端部との間に延びる長手方向軸線を画定する、測定器であって、前記測定器が、
前記本体に移動可能に連結され、第１の位置と第２の位置との間で前記長手方向軸線に沿って移動可能な第１の可動部と、
前記第１の可動部に移動可能に連結され、少なくとも部分的に、前記第１の可動部と前記本体との間に配置されている、第２の可動部と、
前記検体と前記試薬との間の前記反応を分析するように適合された読取ヘッドであって、前記読取ヘッドが、前記本体の前記第２の端部から突出している先細の読取部を有する、読取ヘッドと、
前記第１の可動部に結合され、前記第１の可動部を前記第２の位置に付勢する、第１のばねと、
前記第２の可動部に結合され、前記第２の可動部を前記第２の位置に付勢する、第２のばねと、
前記第１の可動部に枢動可能に連結し、閉位置と開位置との間で移動可能なカバーとを有する、
測定器とを備えるシステム。
【００７５】
代替的な実施形態Ｂ
前記第１の可動部が前記第１の位置にあるときに、前記第１の可動部が、前記本体の前記第１の端部に隣接している、実施形態Ａに記載のシステム。
【００７６】
代替的な実施形態Ｃ
前記第１の可動部が前記第２の位置にあるときに、前記第１の可動部が、前記本体の前記第２の端部から離れている、実施形態Ｂに記載のシステム。
【００７７】
代替的な実施形態Ｄ
前記第２の可動部が、第１の位置と第２の位置との間で、前記長手方向軸線に沿って移動可能な、実施形態Ａに記載のシステム。
【００７８】
代替的な実施形態Ｅ
前記第２の可動部が前記第１の位置にあるときに、前記第１の可動部が、前記本体の前記第１の端部に隣接している、実施形態Ｄに記載のシステム。
【００７９】
代替的な実施形態Ｆ
前記第２の可動部が前記第２の位置にあるときに、前記第１の可動部が、前記本体の前記第２の端部から離れている、実施形態Ｅに記載のシステム。
【００８０】
代替的な実施形態Ｇ
前記第２の可動部が、互いにほぼ平行に配向され、その間に空間を画定するように互いに離間された第１および第２のアームを有する、実施形態Ｆに記載のシステム。
【００８１】
代替的な実施形態Ｈ
前記第１および前記第２のアームが、第１および第２のスロットを各々有し、前記第１および前記第２の各スロットが、前記テストストリップの少なくとも一部を受ける寸法にされている、実施形態Ｇに記載のシステム。
【００８２】
代替的な実施形態Ｉ
前記先細の読取部が、前記第２の可動部の前記第１のアームと前記第２のアームとの間に画定された前記空間と、少なくとも部分的に位置合わせされている、実施形態Ｇに記載のシステム。
【００８３】
代替的な実施形態Ｊ
前記第１のばねが、部分的に前記本体の内側に配置され、第１のばね定数を有する、実施形態Ａに記載のシステム。
【００８４】
代替的な実施形態Ｋ
前記第２のばねが、部分的に前記本体内に配置され、第２のばね定数を有し、前記第１のばね定数が、前記第２のばね定数よりも小さい、実施形態Ｊに記載のシステム。
【００８５】
代替的な実施形態Ｌ
前記カバーが、被覆部と結合部とを有し、前記被覆部が、前記結合部にほぼ垂直に配向されている、実施形態Ａに記載のシステム。
【００８６】
代替的な実施形態Ｍ
前記カバーが閉位置にあるときに、前記カバーが前記読取ヘッドの前記先細のヘッドの上方に位置する、実施形態Ａに記載のシステム。
【００８７】
代替的な実施形態Ｎ
前記カバーが開位置にあるときに、前記カバーが前記読取ヘッドの前記先細のヘッドの上方に位置しない、実施形態Ｍに記載のシステム。
【００８８】
代替的な実施形態Ｏ
前記カバーの前記結合部を前記本体に枢動可能に結合するヒンジをさらに備える、実施形態Ａに記載のシステム。
【００８９】
代替的な実施形態Ｐ
流体サンプル中の検体の濃度を測定するシステムであって、
前記流体サンプル中の前記検体に反応するように、かつ前記流体サンプル中の前記検体の濃度を示す反応を生成するように適合された試薬を含む、テストストリップと、
第１および第２の端部を有する本体を含む測定器であって、前記本体が、前記第１の端部と前記第２の端部との間に延びる長手方向軸線を画定する、前記測定器が、
前記本体に移動可能に連結され、前記検体と前記試薬との間の前記反応を分析するように適合された読取ヘッドであって、前記読取ヘッドが前記本体のほぼ内側に配置されている第１の位置と、前記読取ヘッドが前記本体のほぼ外側に配置されている第２の位置との間で、前記本体の前記長手方向軸線に沿って、前記読取ヘッドが移動可能な、読取ヘッドをさらに含む、
測定器とを含むシステム。
【００９０】
本明細書に記載された様々な特徴は、この説明で示すものとは異なる方法で組み合わせてもよいことが理解されよう。また、個々の実施形態に関連して説明した特徴は、他の説明した実施形態と共有できることも理解されよう。
【００９１】
本発明について、特定の実施形態を参照して説明したが、これらの実施形態は、本発明の原理および用途を単に例示する目的のものであることが理解されるべきである。したがって、添付の特許請求の範囲で定義されている本発明の精神や範囲から逸脱することなく、例示的な実施形態に対して多くの修正がなされてもよいこと、他の配置が考案されてもよいことが理解されるべきである。
【符号の説明】
【００９２】
１０  測定器
１２  本体
１４  第１の端部
１６  第２の端部
１８  第１の側壁
２０  第２の側壁
２２  前壁
２４  後壁
２６  処理機構
２８  読取ヘッド
３０  基部
３２  読取部
３４  スロット
３６  第１の可動部材
５２  第１の固定アーム
５４  第２の固定アーム
５８、６０  固定ピン
６２  第１の細長部材
６４  第２の細長部材
７８、８０  肩部
８２、８４  ばね
９０  第２の可動部材
９２  第１のアーム
９４  第２のアーム
９８、１００  ばね
１０２、１０４  スロット
１０６、１０８  穴
１１０  カバー
１２０  テストストリップ
１２２  第１の細長スロット
１２４  第２の細長スロット
１２６  第１の端部
１２８  第２の端部
１３０  反応領域
１３２  中央領域
【図１Ａ】
0006396411.tif 000002
【図１Ｂ】
0006396411.tif 000003
【図２Ａ】
0006396411.tif 000004
【図２Ｂ】
0006396411.tif 000005
【図３】
0006396411.tif 000006
【図４Ａ】
0006396411.tif 000007
【図４Ｂ】
0006396411.tif 000008
【図５Ａ】
0006396411.tif 000009
【図５Ｂ】
0006396411.tif 000010
【図６Ａ】
0006396411.tif 000011
【図６Ｂ】
0006396411.tif 000012
【図７Ａ】
0006396411.tif 000013
【図７Ｂ】
0006396411.tif 000014
【図８Ａ】
0006396411.tif 000015
【図８Ｂ】
0006396411.tif 000016
【図９Ａ】
0006396411.tif 000017
【図９Ｂ】
0006396411.tif 000018
【図１０Ａ】
0006396411.tif 000019
【図１０Ｂ】
0006396411.tif 000020